(57)【要約】      （修正有）【課題】金属基板、いわゆるリードフレーム上に半導体チップを実装する際に、チップ領域全体にわたる所定の厚さ、均一な分布のハンダを供給する。【解決手段】フラックスフリーのハンダを供給する装置は、超音波を照射することのできるスタンプ５の付いたディスペンサーヘッド２を備える。ハンダは、Ａ）ディスペンサーヘッド２を次の基板箇所の上に移動し、Ｂ）スタンプ５を作業面１１が基板箇所に接触するまで下げ、Ｃ）ハンダを、Ｃ１）糸ハンダ８の先端がスタンプ５の凹部１２内で基板箇所に接触するようにを送り出し、Ｃ２）所定量のハンダが溶けるように、糸ハンダ８をさらに送り出し、Ｃ３）糸ハンダ８を引き戻すＤ）スタンプ５に超音波を照射し、さらにＥ）スタンプ５を上げるという方法で供給する。【選択図】図１
2014014868.tif 000002
【特許請求の範囲】
【請求項１】
スタンプ（５）、前記スタンプ（５）に超音波を照射するよう構成された超音波ヘッド（４）および糸送り機構（６）を備えるディスペンサーヘッド（２）を備える供給装置を用いる、フラックスフリーのハンダを基板（１）の基板箇所上に供給するための方法であって、前記スタンプ（５）が前記スタンプ（５）の外側面（１３）に向かって開いている凹部（１２）を有する作業面（１１）を有し、前記糸送り機構（６）が糸ハンダ（８）を前記基板（１）の表面に対して斜めに傾けて送り出し、前記方法は以下の手順を含む：
Ａ）前記ディスペンサーヘッド（２）を、ハンダを供給すべき次の基板箇所の上の所定位置に移動し、
Ｂ）前記スタンプ（５）を：
Ｂ１）前記スタンプ（５）の前記作業面（１１）が前記基板箇所に接触するまで、または
Ｂ２）前記スタンプ（５）の前記作業面（１１）が前記基板箇所の上の所定の高さの位置に来るまで、または
Ｂ３）前記スタンプ（５）の前記作業面（１１）が前記基板箇所に接触するまで下げ、それから前記スタンプ（５）を前記基板箇所の上の所定の高さに上げ、
Ｂ２およびＢ３に述べる前記高さは、以下の手順Ｄで前記スタンプ（５）の前記作業面（１１）がハンダで濡れるように設定し、
Ｃ）フラックスフリーのハンダを：
Ｃ１）前記糸ハンダ（８）の先端が前記スタンプ（５）の前記凹部（１２）内で前記基板箇所に接触するように、前記糸ハンダ（８）が基板箇所に接触するまで前記糸ハンダ（８）を送り出し、
Ｃ２）所定量のハンダが溶けるように、前記糸ハンダ（８）をさらに送り出し、それから
Ｃ３）前記糸ハンダ（８）を引き戻す
という方法で前記基板箇所に供給し、
Ｄ）前記基板箇所上にハンダを配置するために、前記ディスペンサーヘッド（２）を所定の経路に沿って移動させ、同時に前記スタンプ（５）に超音波を照射し、さらに
Ｅ）前記スタンプ（５）を上げ、
手順Ｄは手順Ｃ３の後に実施するか、または手順Ｃ２の間に開始する
方法。
【請求項２】
ノズル（７）を通しての前記糸ハンダ（８）の送り出しおよび前記ノズル（７）の積極的な冷却をさらに含む、
請求項１に記載の方法。
【請求項３】
前記経路（１９）の開始点は前記基板箇所の中心の近くにあり、さらに前記経路（１９）が前記基板箇所の内側から外側に進んでいる、
請求項１または２に記載の方法。
【請求項４】
前記スタンプ（５）の前記凹部（１２）はフラックスフリーのハンダで濡れにくい材料でコーティングされている、
請求項１から３のうちいずれか一項に記載の方法。
【請求項５】
水平二方向に、および任意で垂直方向に移動可能なディスペンサーヘッド（２）を備えるフラックスフリーのハンダを基板（１）の基板箇所上に供給するための装置であって、前記ディスペンサーヘッド（２）が
超音波ヘッド（４）
作業面（１１）を有するスタンプ（５）であって、前記作業面（１１）が前記スタンプ（５）の外側面（１３）に向かって開いている凹部（１２）を有し、前記超音波ヘッド（４）に固定可能なスタンプ（５）、
それを通して糸ハンダをガイドすることができる長手方向の孔を有するノズル（７）を有する糸送り機構（６）であって、前記ノズル（７）の長手方向の孔を通って伸びる前記糸送り機構（６）の縦軸（１４）が前記スタンプ（５）の前記外側面（１３）で前記凹部（１２）に入り、前記凹部（１２）で囲まれた前記作業面（１１）の一部内で前記基板（１）に達する前記糸送り機構（６）、および
前記スタンプ（５）の作業温度を所定温度に保つよう構成された冷却装置（１６）を備える装置。
【請求項６】
前記糸送り機構（６）の前記ノズル（７）を冷却するための冷却装置（１５）をさらに備える、
請求項５に記載の装置。
【請求項７】
前記スタンプ（５）とともに前記超音波ヘッド（４）を垂直方向に上下移動させるよう構成された、前記ディスペンサーヘッド（２）に固定された駆動部（１７）をさらに備える、
請求項５または６に記載の装置。
【請求項８】
前記スタンプ（５）の前記凹部（１２）はフラックスフリーのハンダによって濡れにくい材料でコーティングされている、
請求項５から７のうちいずれか一項に記載の装置。
【発明の詳細な説明】
【技術分野】
【０００１】
本発明はフラックスフリーのハンダを基板に供給する方法および装置に関する。
【背景技術】
【０００２】
この種のハンダ付け法は、一般的には金属基板、いわゆるリードフレーム上に半導体チップを実装する際に用いられるが、これに限定されない。通常、パワー半導体は、接着剤を用いた実装と比べて、ハンダ接合部を介して半導体チップからの損失熱をより効率的に放散できるように、通常銅で構成される基板に、主にハンダ（軟ろう）付けで実装される。特に電力密度が大きい場合には、ハンダ接合部の均一性、すなわちチップ領域全体にわたるハンダ層の所定の厚さ、均一な分布、および完全な濡れに対する要求が高く、またハンダ接合部に気泡がまったくなく、不純物もないことが求められる。その一方で、ハンダがハンダ付け接合部の隙間から横に漏れたり半導体チップに隣接して広がったりしてはならず、この場合、ハンダの正確な分量と位置決めが再び必要となる。
【０００３】
半導体チップ実装の適用分野において、糸ハンダの端部を、糸ハンダを溶かすためにハンダの溶融温度より高温に加熱した基板に接触させる方法が実際に広く用いられている。この方法は、その単純性と融通性により、一般に大量生産に好適である。しかし、生じる濡れ面はほぼ円形で、長方形または正方形の半導体チップへの適合は十分でない。さらに、米国特許第６，０５６，１８４号明細書から、基板に盛ったハンダを長方形の半導体チップに合わせて調節した平らな形にすることができる抜き型が知られている。また、特定の経路に沿った供給ヘッドを用いて糸ハンダの端部を動かし、それと同時に熱した基板がハンダを溶かしていくことも知られている。これによって基板上にハンダの線が盛られる。
【０００４】
米国特許第５，８７８，９３９号明細書から、液状ハンダを成形用金型と基板の間に形成される空洞中に注入する方法が知られている。
【０００５】
これらの既知の方法にはいくつかの欠点がある。付着したハンダの形状が丸くなるか、または特定の抜き型を長方形の形状ごとに製作しなければならない。そのような抜き型には側壁があり、これが基板の一部分を覆う。そのため、半導体チップを載せるチップアイランドの端部にまでハンダを付着させることができない。さらに、基板をハンダの溶融温度より高温に加熱しなければならず、またハンダを盛ってから半導体チップを載せるまで、付着させたハンダを液状に保つ必要がある。加えて、液状ハンダと接触する部分を定期的に洗浄する必要があり、このために生産を中断しなければならないという欠点もある。
【０００６】
米国特許第４，５７７，３９８号明細書および米国特許第４，７０９，８４９号明細書から、寸法を半導体チップに適合させた、ハンダでできた平らな予備成形物（いわゆる「成形ハンダ」）を事前に作成する方法が知られている。この成形ハンダは基板上に配置され、ハンダの層を必要な大きさに形成するために同じように溶解される。しかしこの方法は、成形ハンダの事前作成に加え組立作業が必要であることから、比較的コストがかかり、また融通性に欠ける。
【０００７】
米国公開番号第２００９-１４５９５０号から、ハンダディスペンサーの供給ヘッドを通して糸ハンダをガイドし、同時にハンダを盛る際に加熱した基板と接触させることによって糸ハンダの先端を溶かし、さらに供給ヘッドが基板表面と平行な所定の経路に沿って動く方法と装置が知られている。このハンダディスペンサーは、このように基板上にハンダの線を供給する。この方法では、事前洗浄しないと基板が十分に濡れないのが欠点である。
【発明の概要】
【０００８】
本発明の目的は、上述の欠点が解消された、フラックスフリーのハンダを基板に供給するための方法および装置を開発することにある。
【０００９】
本発明に従った、フラックスフリーのハンダを基板の基板箇所上に供給するための方法は、スタンプ、スタンプに超音波を照射するよう構成された超音波ヘッドおよび糸送り機構を備えるディスペンサーヘッドを備える供給装置を用いる。スタンプはスタンプの外側面に向かって開いている凹部を有する作業面を有する。糸送り機構は糸ハンダを基板の表面に対して斜めに傾けて送り出す。本方法は以下の手順を含む：
Ａ）ディスペンサーヘッドを、ハンダを供給すべき次の基板箇所の上の所定位置に移動し、
Ｂ）スタンプを：
Ｂ１）スタンプの作業面が基板箇所に接触するまで、または
Ｂ２）スタンプの作業面が基板箇所の上の所定の高さの位置に来るまで、または
Ｂ３）スタンプの作業面が基板箇所に接触するまで下げ、それからスタンプを基板箇所の上の所定の高さに上げ、
Ｂ２およびＢ３に述べる高さは、以下の手順Ｄでスタンプの作業面がハンダで濡れるように設定し、
Ｃ）フラックスフリーのハンダを：
Ｃ１）糸ハンダの先端がスタンプの凹部内で基板箇所に接触するように、糸ハンダが基板箇所に接触するまで糸ハンダを送り出し、
Ｃ２）所定量のハンダが溶けるように、糸ハンダをさらに送り出し、それから
Ｃ３）糸ハンダを引き戻す
という方法で基板箇所に供給し、
Ｄ）基板箇所上にハンダを配置するために、ディスペンサーヘッドを所定の経路に沿って移動させ、同時にスタンプに超音波を照射し、さらに
Ｅ）スタンプを上げ、
手順Ｄは手順Ｃ３の後に実施するか、または手順Ｃ２の間に開始する。
【００１０】
本方法は、好ましくは、ノズルを通しての糸ハンダの送り出しおよびノズルの積極的な冷却を含む。
【００１１】
本発明に従って、フラックスフリーのハンダを基板の基板箇所上に供給するための装置は、
水平二方向に、および任意で垂直方向に移動可能なディスペンサーヘッドを備え、このディスペンサーヘッドが、
超音波ヘッド、
スタンプの外側面に向かって開いている凹部を有する作業面を有するスタンプであって、超音波ヘッドに固定可能なスタンプ、
それを通して糸ハンダをガイドすることができる長手方向の孔を有するノズルを有する糸送り機構であって、ノズルの長手方向の孔を通って伸びる糸送り機構の縦軸がスタンプの外側面で凹部に入り、凹部で囲まれた作業面の一部内で基板に達する糸送り機構、および
スタンプの作業温度を所定温度に保つよう構成された冷却装置を備える。
【００１２】
装置は、好ましくは、糸送り機構のノズルを冷却するための追加的な冷却装置をさらに備える。
【００１３】
装置は、好ましくは、超音波ヘッドをスタンプとともに垂直方向に上下移動させるよう構成された、ディスペンサーヘッドに固定された駆動部をさらに備える。
【００１４】
好ましくは、フラックスフリーのハンダで濡れにくい材料でスタンプの凹部をコーティングする。
【図面の簡単な説明】
【００１５】
本明細書に組み込まれ、その一部を構成する添付の図面は、本発明の１つまたは複数の実施形態を説明し、さらに詳細な説明とともに、本発明の原則および実装を解説するのに用いる。図面は正確な縮尺ではない。図面は次のとおりである：
【図１】図１は、基板に半導体チップをハンダ付けする機械の供給ステーションのディスペンサーヘッドの側面図を概略的に示す。
【図２】図２は、スタンプを示す。
【図３】図３は、基板箇所上でスタンプがカバーする経路を示す。
【発明を実施するための形態】
【００１６】
図１は、本発明の理解に必要な、基板に半導体チップをハンダ付けする機械の供給ステーションの各部品の側面図を概略的に示している。供給ステーションは、基板１の個々の基板箇所にフラックスフリーのハンダを供給する装置を備える。基板１は加熱可能な支持台３の上に置かれている。装置は、ｘとｙで示される水平二方向に移動可能で、さらに任意で、ｚで示される垂直方向に上下移動が可能なディスペンサーヘッド２を備える。ディスペンサーヘッド２は、スタンプ５を取り外し可能に固定した超音波ヘッド４と、糸送り機構６を備える。超音波ヘッド４はスタンプ５に超音波を、好ましくはｚ方向に走る、すなわち振動方向が支持台３に対して直角になっている縦方向の超音波を照射するよう構成される。超音波の周波数は、好ましくは４０ｋＨｚから２００ｋＨｚの範囲、通常は約６０ｋＨｚである。超音波を用いて基板１を処理することで、ハンダが必要な表面における濡れ性を局所的に改善し、それによって、専門用語で「ハンダのブリードアウト」として知られるハンダの望ましくない流出が減少する。
【００１７】
糸送り機構６は、それを通して糸ハンダ８をガイドする長手方向の孔を有する、例えばセラミック製の毛細管であるノズル７、および糸ハンダ８を送り出したり引き戻したりするための駆動手段を備える。駆動手段は、例えばモーターで駆動する駆動ローラー９と対抗圧ローラー１０を備え、その間を糸ハンダ８がガイドされる。糸ハンダ８は通常はロールに巻きつけられており、ロールは供給ステーション上に固定して配置されるか、またはディスペンサーヘッド２上に配置されるかのいずれかである。
【００１８】
スタンプ５は、ハンダを配置するのに用いられる、基板１の方に向いた作業面１１を有する。スタンプ５には、糸送り機構６の方に向いたスタンプ５の外側面１３から作業面１１の方に続く、従って作業面１１の方に開いた凹部１２が実装されている。ノズル７は、所定の角度αで垂直線に対して斜めの位置に調整され、さらに、ノズル７の長手方向の孔７を通って伸びる糸送り機構６の縦軸１４がスタンプ５の外側面１３で凹部１２に入り、凹部１２で囲まれた作業面１１の一部内で基板１に達するように配置されている。
【００１９】
図２は、基板１に設置されたスタンプ５の斜視図を示している。糸ハンダ８がスタンプ５の凹部１２内で基板１に達し、また基板１の温度がハンダの溶融温度よりも高いために糸ハンダ８の端部が溶けているのがはっきりわかる。ディスペンサーヘッド２のスタンプ５に凹部１２を形成し、糸ハンダ８を斜めに送り出しているため、糸ハンダ８の先端はディスペンサーヘッド２の凹部１２内で基板箇所に接触する。糸ハンダ８はスタンプ５に接触しない：従って、ハンダの溶解は熱い基板１との接触により生じ、スタンプ５との接触では生じない。従って、スタンプ５の凹部１２は、図２ではっきりわかるように、糸送り機構６および作業面１１に向かって開いている空洞である。空洞は、３面が基板１に面した側面で囲まれ、糸送り機構６に向かってのみ開いている
【００２０】
スタンプ５または少なくともその作業面１１は、好ましくは黄銅もしくは青銅などの銅合金、またはフラックスフリーのハンダを十分に濡らす、銀の割合が高く銅の割合が低い銀・銅合金から成る。凹部１２で区切られたスタンプ５の表面は、ハンダが濡れにくい材料でコーティングすることができる。例えば、クロムがそうした材料である。これにより、凹部１２の内側にハンダが付着することによって、供給されるハンダの量が必ずしも等しくならないという結果が生じる可能性を防げる。スタンプ５の外側もそうした材料でコーティングすることができる。
【００２１】
ディスペンサーヘッド２は、好ましくは、ノズル７内の糸ハンダ８の温度をハンダの溶融温度より低くし、糸ハンダ８が駆動手段によって送り出したり引き戻したりできるほどの固さを保てるようにする第１の冷却装置１５（図１）を備える。
【００２２】
支持台３の温度は、従って基板１の温度も、ハンダ溶融温度より高い。装置の主要部分は、ほぼ密室（加熱炉）の中に突き出ており、基板上での酸化物形成を抑えるために、この加熱炉の中は通常、Ｎ２Ｈ２雰囲気下にある。
【００２３】
フラックスフリーのハンダの溶融温度は通常３００〜３２０℃の範囲である。支持台３はこれより高い温度、通常３６０〜３８０℃に加熱する。そうすると、加熱炉内も比較的すばやく３６０〜３８０℃の温度になる。これらの値は例であり、従って特別な場合には逸脱することがある。
【００２４】
従って、ディスペンサーヘッド２は、好ましくは、スタンプ５の温度を所定温度域内に維持する目的で使用される第２の冷却装置１６（図１）を備える。従って、冷却装置１６はスタンプ５の温度を所定の作業温度に調整するよう構成される。作業温度は、ハンダの溶融温度の範囲内で、通常、ハンダの溶融温度の絶対温度数度下から溶融温度の絶対温度数度上までの処理域内である。実験から、作業温度が低すぎると、ハンダがスタンプの作業面上にたまってスタンプ５が時折抜け落ちることになり、一方、作業温度が高すぎるとスタンプ５が腐食する可能性があることがわかっている。冷却装置１６は、スタンプ５の作業温度を、上述の作用が生じないか、または少なくとも大幅に低減できる所定温度域内に保てるよう、スタンプ５の熱を放散するために用いられる。
【００２５】
冷却装置１６は内蔵ヒーターを含むことができ、このヒーターは、実装工程開始前にスタンプ５を作業温度まで加熱するために用いられ、その一方で、冷却装置１６も併用してスタンプ５の温度を所望の作業温度に調節するために用いられる。
【００２６】
ディスペンサーヘッド２は多様な部品があるため質量がかなり高く、従って慣性も比較的大きいので、超音波ヘッド４とスタンプ５を垂直方向、すなわちｚ方向に上下移動できるようにする駆動部１７をディスペンサーヘッド２に取り付けるのは有利である。例えば音声コイル検出器は、スタンプ５が下がって基板１と接触した時点を検出するために設けられる。
【００２７】
本発明に従った、フラックスフリーのハンダを基板１の基板箇所上に供給するための方法は以下の手順を含み、これには上述の供給装置が用いられる：
Ａ）ディスペンサーヘッド２を、ハンダを供給すべき次の基板箇所の上の所定位置に移動し、
Ｂ）スタンプを：
Ｂ１）スタンプ５の作業面１１が基板箇所に接触するまで、または
Ｂ２）スタンプ５の作業面１１が基板箇所の上の所定の高さの位置に来るまで、または
Ｂ３）スタンプ５の作業面１１が基板箇所に接触するまで下げ、それからスタンプ５を基板箇所の上の所定の高さに上げ、
Ｂ２およびＢ３に述べる高さは、以下の手順Ｄでスタンプ５の作業面１１がハンダで濡れるように設定し、
Ｃ）フラックスフリーのハンダを：
Ｃ１）糸ハンダ８の先端がスタンプ５の凹部１２内で基板箇所に接触するように、糸ハンダ８が基板箇所に接触するまで糸ハンダ８を送り出し、
Ｃ２）所定量のハンダが溶けるように、糸ハンダ８をさらに送り出し、それから
Ｃ３）糸ハンダ８を引き戻す
という方法で基板箇所に供給し、
Ｄ）基板箇所上にハンダを配置するために、ディスペンサーヘッド２を所定の経路に沿って移動させ、同時にスタンプ５に超音波を照射し、さらに
Ｅ）スタンプ５を上げ、
手順Ｄは手順Ｃ３の後に実施するか、または手順Ｃ２の間に開始する。
【００２８】
手順Ｃ２とＤを同時に実施する場合、これは駆動手段が糸ハンダ８を連続的に送り出し、ハンダが端部から連続的に溶けることを意味する。所定の経路は、スタンプ５が一部基板箇所の端部を越えて突き出るように設計することができる。そうすれば、ハンダは基板箇所を完全にカバーすることができる。超音波をスタンプ５に照射することで、ハンダが基板箇所上で十分に濡れる。ハンダが飛び散らないようにするために、ハンダの供給は、有利には基板箇所の中心部から始めると、ハンダがそこで十分に濡れ、それ以上流れ出なくなる。
【００２９】
所定のプロファイルに従って超音波の強度と周波数を変えることが可能で、具体的には、単一または複数の超音波パルス（超音波バースト波）を照射することができる。
【００３０】
糸ハンダ８は熱伝導が極めて良いので、ハンダを付着させる手順Ｃでハンダが基板１に接触すると必ず熱を吸収し、それによりノズル７および／または糸送り機構６のその他の部品が熱くなる。従って、糸ハンダ８の温度を溶融温度より低く保ち、糸ハンダ８が駆動部によって問題なくノズル７から押し出したりノズル７に引き戻したりできる固さを保つように、ノズル７は必要に応じて冷却装置１５で積極的に冷却する。
【００３１】
多くの適用例において、半導体チップは、その寸法が半導体チップの寸法とおおよそ等しい基板箇所１８に実装される。通常、基板はいわゆるリードフレームである。基板箇所１８は薄いウェブ（図示せず）を介してリードフレームのフレームにつながっている。通常、ハンダ部分は基板箇所１８全体を覆う必要がある。これを実現するためには、少なくとも一部が基板箇所１８の端部２０に沿って進んでおり、またスタンプ５の作業面１１が端部２０の端を越えて突き出て、それにより部分的にのみ基板箇所１８に接触するように設けられている経路１９に沿ってスタンプ５を移動させるのが有利である。図３でこれを説明している。経路１９のうち、スタンプ５の作業面１１が端部２０を越えて突き出ている部分は実線の矢印で、経路１９のその他の部分は破線の矢印で示している。経路１９は、基板箇所１８の中心または中心の近くから始まり、それから基板箇所１８の内側に位置する経路区分に沿って段階的に外側に進み、最終的に基板箇所１８の端部２０に沿って進む。つまり、経路１９は内側から外側に進んでいる。上記の経路１９では、最初に、内側に位置する基板箇所１８の区域が超音波で処理されるので、ハンダがそこで十分に濡れ、その結果、基板箇所１８からハンダが飛び散らない。経路１９はここでは一例としてのみ示しており、別の経路区分で構成することもできる。この例では、スタンプ５の作業面１１の輪郭は正方形であるが、これは長方形、円形、または任意の形状であってもよい。特定の適用例において、有利には、経路１９の開始点にあるスタンプ５は、凹部１２を有する外側面１３とは反対の方向に動かす。それでも、毛細管効果により、溶融したハンダは配置される。
【００３２】
本発明の実施形態および適用例を提示するとともに説明してきたが、本発明の概念から逸脱せずに、上述したより多くの修正例が実施可能であることは、本開示の利益を得る当業者には明らかである。従って、本発明は、添付の明細書およびこれに準ずるものの趣旨を除いて限定されるべきではない。
【図１】
2014014868.tif 000003
【図２】
2014014868.tif 000004
【図３】
2014014868.tif 000005